(57)【要約】  超高周波ＲＦＩＤタブの読み取り方法であって、超高周波ＲＦＩＤ走査システムは超高周波ＲＦＩＤリーダー１とアンテナグループを備え、アンテナ２が走査対象４の周辺に分布し、走査対象４の中にＲＦＩＤタブがあり、走査集合Ａ内に追加される新規データがなくなるまで走査対象４に対して連続的な走査を行った後、計数を始め、連続的なＮ個の走査周期に走査集合Ａ内に追加される新規データがない場合、該超高周波ＲＦＩＤ走査システムがすでに走査対象４内のＲＦＩＤタブを完全に読み取ったと認められる。メリットは以下のとおりである。「読み取り時間」の設定と「読み取り回数」の設定を通しても超高周波ＲＦＩＤ走査システムがすべてのＲＦＩＤタブの数量を完全に読み取ったか否かを確定できないという問題を解決し、且つ、読み取り時間と読み取り回数はＲＦＩＤタブの数量とＲＦＩＤタブの読み取りの難しさによって動的に調整し、読み取り数量の正確性を確保するとともに、読み取り効率を高める。【選択図】図１
2021533514.tif 000002
【特許請求の範囲】
【請求項１】
超高周波ＲＦＩＤ走査システムは超高周波ＲＦＩＤリーダー（１）とアンテナグループを備え、
前記アンテナグループは少なくとも２つのアンテナ（２）を含み、前記アンテナ（２）が走査対象（４）の周辺に分布し、前記走査対象（４）の中にＲＦＩＤタブがあり、前記アンテナ（２）がそれぞれフィーダーを介して前記超高周波ＲＦＩＤリーダー（１）に接続され、前記走査対象（４）内の前記ＲＦＩＤタブ数の走査集合Ａを設定し、各走査周期の新規データを前記走査集合Ａ内に追加し、前記超高周波ＲＦＩＤ走査システムは、前記走査集合Ａ内に追加される新規データがなくなるまで前記走査対象（４）に対して連続的な走査を行った後、計数を始め、連続的なＮ個の走査周期に前記走査集合Ａ内に追加される前記新規データがない場合、該超高周波ＲＦＩＤ走査システムがすでに前記走査対象（４）内の前記ＲＦＩＤタブを完全に読み取ったと認められ、連続的なＮ個の走査周期内に前記走査集合Ａ内に１回でも追加される前記新規データがあれば、連続的なＮ個の走査周期に前記走査集合Ａ内に追加される前記新規データがなくなるまで改めて計数し、該超高周波ＲＦＩＤ走査システムが前記走査対象（４）内の前記ＲＦＩＤタブを完全に読み取ったと認められることを特徴とする超高周波ＲＦＩＤタブの読み取り方法。
【請求項２】
連続走査周期の数量Ｎは前記走査対象（４）内の前記ＲＦＩＤタブ数又はタブ読み取りの難しさによって調整することを特徴とする請求項１に記載の超高周波ＲＦＩＤタブの読み取り方法。
【請求項３】
前記超高周波ＲＦＩＤ走査システムが走査する前、連続走査周期の数量Ｎを予め設定し、連続走査周期の数量Ｎの値の範囲は３から２０までの自然数であることを特徴とする請求項１に記載の超高周波ＲＦＩＤタブの読み取り方法。
【請求項４】
前記アンテナ(２)がチャンネルプロセッサ（３）の中に取り付けられ、前記走査対象(４)がコンベヤ(５)に取り付けられ、前記コンベヤ(５)が前記チャンネルプロセッサ(３)を貫通し、該超高周波ＲＦＩＤタブの読み取り方法が前記超高周波ＲＦＩＤ走査システム内に埋め込まれることを特徴とする請求項１に記載の超高周波ＲＦＩＤタブの読み取り方法。
【請求項５】
前記コンベヤ(５)に検出装置が取り付けられ、前記検出装置は前記走査対象（４）内の前記ＲＦＩＤタブ数を推定し、且つ推定結果を前記超高周波ＲＦＩＤリーダー(１)にフィードバックし、前記超高周波ＲＦＩＤリーダー(１)は推定結果によって適切な連続走査周期の数量Ｎを選択することを特徴とする請求項４に記載の超高周波ＲＦＩＤタブの読み取り方法。
【発明の詳細な説明】
【技術分野】
【０００１】
本発明は、超高周波ＲＦＩＤタブの読み取り方法に関し、無線周波数識別の技術分野に属する。
【背景技術】
【０００２】
超高周波ＲＦＩＤタブの読み取りはサプライチェーンと流通分野に頻繁に使用され、例えば、包装箱内の製品を確定するように、１つの包装箱内のＲＦＩＤタブを走査する必要がある。読み取り結果の数値及び読み取り効率が非常に重要である。
【０００３】
従来の超高周波ＲＦＩＤタブが完全に読み取られるか否かを判断する方法は２つあり、それぞれ読み取り時間の設定と読み取り回数の設定である。
【０００４】
読み取り時間の設定に対して、例えば、読み取り時間を３秒、５秒又は１０秒に設定することに対して、アンテナが持続的にＲＦＩＤタブを読み取り、所定時間に達すると、タブが完全に読み取られたと判断する。該解決手段の欠点は、各包装箱内のＲＦＩＤタブの数量は一定数量ではないため、タブが多い場合、読み取り時間が長くなり、タブが少ない場合、読み取り時間が短いことである。同一時間に設定すれば、タブが多い包装箱の読み取り時間が不足するため、完全に読み取れない可能性があり、タブが少ない包装箱は読み取り時間を浪費することをもたらす。
【０００５】
読み取り回数の設定に対して、システムはリサイクル読み取り回数のアルゴリズムを設定した後、すべてのタブが完全に読み取られると認められる。ただし、タブが多い場合、読み取り回数を設定しても、すべてのタブが完全に読み取られるか否かをやはり確定できない。例えば、中国特許出願番号２０１６１０６０４７４９．６である特許文献１において、該文献の請求項１３が詳しく参照される。
【先行技術文献】
【特許文献】
【０００６】
【特許文献１】中国特許出願公開第１０７６６５３２０号明細書
【発明の概要】
【発明が解決しようとする課題】
【０００７】
本発明はＲＦＩＤタブが確かに完全に読み取られたことを如何に確定するという技術的問題を解決する。
【課題を解決するための手段】
【０００８】
本発明の技術的解決手段は以下のとおりである。超高周波ＲＦＩＤタブの読み取り方法であって、超高周波ＲＦＩＤ走査システムは超高周波ＲＦＩＤリーダー１とアンテナグループを備え、アンテナグループは少なくとも２つのアンテナ２を含み、アンテナ２が走査対象４の周辺に分布し、走査対象４の中にＲＦＩＤタブがあり、アンテナ２がそれぞれフィーダーを介して超高周波ＲＦＩＤリーダー１に接続され、走査対象４内のＲＦＩＤタブ数の走査集合Ａを設定し、各走査周期の新規データを走査集合Ａ内に追加し、超高周波ＲＦＩＤ走査システムは、走査集合Ａ内に追加される新規データがなくなるまで走査対象４に対して連続的な走査を行った後、計数を始め、連続的なＮ個の走査周期に走査集合Ａ内に追加される新規データがない場合、該超高周波ＲＦＩＤ走査システムがすでに走査対象４内のＲＦＩＤタブを完全に読み取ったと認められ、連続的なＮ個の走査周期内に走査集合Ａ内に１回でも追加される新規データがあれば、連続的なＮ個の走査周期に走査集合Ａ内に追加される新規データがなくなるまで改めて計数し、該超高周波ＲＦＩＤ走査システムが走査対象４内のＲＦＩＤタブを完全に読み取ったと認められることを特徴とする。
【０００９】
好ましくは、前記連続的な走査周期の数量Ｎは走査対象４内のＲＦＩＤタブ数又はタブ読み取りの難しさによって調整する。
【００１０】
好ましくは、前記超高周波ＲＦＩＤ走査システムが走査する前、連続的な走査周期の数量Ｎを予め設定し、連続的な走査周期の数量Ｎの値の範囲は３から２０までの自然数である。
【００１１】
好ましくは、前記アンテナ２がチャンネルプロセッサ３の中に取り付けられ、走査対象４がコンベヤ５に取り付けられ、コンベヤ５がチャンネルプロセッサ３を貫通し、該超高周波ＲＦＩＤタブの読み取り方法は前記超高周波ＲＦＩＤ走査システム内に埋め込まれる。
【００１２】
好ましくは、前記コンベヤ５に検出装置が取り付けられ、検出装置が走査対象４内のＲＦＩＤタブ数を推定し、且つ推定結果を超高周波ＲＦＩＤリーダー１にフィードバックし、超高周波ＲＦＩＤリーダー１が推定結果によって適切な連続走査周期の数量Ｎを選択する。
【発明の効果】
【００１３】
本発明のメリットは以下のとおりである。本読み取り方法は「読み取り時間」の設定と「読み取り回数」の設定を通しても超高周波ＲＦＩＤ走査システムがすべてのＲＦＩＤタブの数量を完全に読み取ったか否かを確定できないという問題を解決し、本読み取り方法の読み取り時間と読み取り回数はＲＦＩＤタブの数量とＲＦＩＤタブの読み取りの難しさによって動的に調整し、読み取り数量の正確性を確保するとともに、読み取り効率を高める。
【図面の簡単な説明】
【００１４】
【図１】実施例１の概略図である。図中、１は超高周波ＲＦＩＤリーダー、２はアンテナ、３はチャンネルプロセッサ、４は走査対象、５はコンベヤである。
【発明を実施するための形態】
【００１５】
超高周波ＲＦＩＤタブの読み取り方法であって、超高周波ＲＦＩＤ走査システムは超高周波ＲＦＩＤリーダー１とアンテナグループを備え、アンテナグループは少なくとも２つのアンテナ２を含み、アンテナ２が走査対象４の周辺に分布し、走査対象４の中にＲＦＩＤタブがあり、アンテナ２がそれぞれフィーダーを介して超高周波ＲＦＩＤリーダー１に接続され、走査対象４内のＲＦＩＤタブ数の走査集合Ａを設定し、各走査周期の新規データを走査集合Ａ内に追加し、超高周波ＲＦＩＤ走査システムは、走査集合Ａ内に追加される新規データがなくなるまで走査対象４に対して連続的な走査を行った後、計数を始め、連続的なＮ個の走査周期に走査集合Ａ内に追加される新規データがない場合、該超高周波ＲＦＩＤ走査システムがすでに走査対象４内のＲＦＩＤタブを完全に読み取ったと認められ、連続的なＮ個の走査周期内に走査集合Ａ内に１回でも追加される新規データがあれば、連続的なＮ個の走査周期に走査集合Ａ内に追加される新規データがなくなるまで改めて計数し、該超高周波ＲＦＩＤ走査システムが走査対象４内のＲＦＩＤタブを完全に読み取ったと認められることを特徴とする。
【００１６】
好ましくは、前記連続的な走査周期の数量Ｎは走査対象４内のＲＦＩＤタブ数又はタブ読み取りの難しさによって調整する。
【００１７】
好ましくは、前記超高周波ＲＦＩＤ走査システムが走査する前、連続的な走査周期の数量Ｎを予め設定し、連続的な走査周期の数量Ｎの値の範囲は３から２０までの自然数である。
【００１８】
好ましくは、前記アンテナ２がチャンネルプロセッサ３の中に取り付けられ、走査対象４がコンベヤ５に取り付けられ、コンベヤ５がチャンネルプロセッサ３を貫通し、該超高周波ＲＦＩＤタブの読み取り方法は前記超高周波ＲＦＩＤ走査システム内に埋め込まれる。
【００１９】
好ましくは、前記コンベヤ５に検出装置が取り付けられ、検出装置が走査対象４内のＲＦＩＤタブ数を推定し、且つ推定結果を超高周波ＲＦＩＤリーダー１にフィードバックし、超高周波ＲＦＩＤリーダー１が推定結果によって適切な連続走査周期の数量Ｎを選択する。
【００２０】
実施例１として、次にチャンネルプロセッサでコンベヤにおける物品を走査することを例として説明する。
【００２１】
図１に示されるように、チャンネルプロセッサ３がコンベヤ５に取り付けられ、チャンネルプロセッサ３の中に超高周波ＲＦＩＤ走査システムが取り付けられ、超高周波ＲＦＩＤ走査システムは超高周波ＲＦＩＤリーダー１とアンテナグループを備え、超高周波ＲＦＩＤリーダー１がチャンネルプロセッサ３に取り付けられ、アンテナ２がそれぞれフィーダーを介して超高周波ＲＦＩＤリーダー１に接続され、走査対象４はボール箱であり、各ボール箱内に数量が異なる製品(例えば、ＲＦＩＤタブが取り付けられた衣類)が収納される。
【００２２】
アンテナグループがループテストでＲＦＩＤタブを１回読み取って、超高周波ＲＦＩＤリーダー走査周期(走査周期と略称される)とする。
【００２３】
ボール箱はチャンネルプロセッサ３を通過する前、超高周波ＲＦＩＤ走査システムが連続走査周期Ｎの数値を予め設定し、さらに検出装置(例えば計重装置)を用いてボール箱内のＲＦＩＤタブ数を推定し、適切な連続走査周期Ｎを選択することもできる。
【００２４】
ボール箱はチャンネルプロセッサ３を通過する前、一時的に停滞する。
【００２５】
ボール箱内のＲＦＩＤタブ数の走査集合Ａを設定し、各走査周期の新規データを走査集合Ａ内に追加し、超高周波ＲＦＩＤ走査システムは、走査集合Ａ内に追加される新規データがなくなるまでボール箱に対して連続的な走査を行った後、計数を始め、連続的なＮ個の走査周期に走査集合Ａ内に追加される新規データがない場合、該超高周波ＲＦＩＤ走査システムがすでにボール箱内のＲＦＩＤタブを完全に読み取ったと認められ、連続的なＮ個の走査周期内に走査集合Ａ内に１回でも追加される新規データがあれば、連続的なＮ個の走査周期に走査集合Ａ内に追加される新規データがなくなるまで改めて計数し、該超高周波ＲＦＩＤ走査システムがボール箱内のＲＦＩＤタブを完全に読み取ったと認められる。
【００２６】
ここで、連続走査周期の数量Ｎは走査対象４内のＲＦＩＤタブ数又はタブ読み取りの難しさによって調整する。
【００２７】
走査終了後、コンベヤはボール箱をほかの場所に輸送する。
【００２８】
（付記）
（付記１）
超高周波ＲＦＩＤ走査システムは超高周波ＲＦＩＤリーダー（１）とアンテナグループを備え、
前記アンテナグループは少なくとも２つのアンテナ（２）を含み、前記アンテナ（２）が走査対象（４）の周辺に分布し、前記走査対象（４）の中にＲＦＩＤタブがあり、前記アンテナ（２）がそれぞれフィーダーを介して前記超高周波ＲＦＩＤリーダー（１）に接続され、前記走査対象（４）内の前記ＲＦＩＤタブ数の走査集合Ａを設定し、各走査周期の新規データを前記走査集合Ａ内に追加し、前記超高周波ＲＦＩＤ走査システムは、前記走査集合Ａ内に追加される新規データがなくなるまで前記走査対象（４）に対して連続的な走査を行った後、計数を始め、連続的なＮ個の走査周期に前記走査集合Ａ内に追加される前記新規データがない場合、該超高周波ＲＦＩＤ走査システムがすでに前記走査対象（４）内の前記ＲＦＩＤタブを完全に読み取ったと認められ、連続的なＮ個の走査周期内に前記走査集合Ａ内に１回でも追加される前記新規データがあれば、連続的なＮ個の走査周期に前記走査集合Ａ内に追加される前記新規データがなくなるまで改めて計数し、該超高周波ＲＦＩＤ走査システムが前記走査対象（４）内の前記ＲＦＩＤタブを完全に読み取ったと認められることを特徴とする超高周波ＲＦＩＤタブの読み取り方法。
【００２９】
（付記２）
連続走査周期の数量Ｎは前記走査対象（４）内の前記ＲＦＩＤタブ数又はタブ読み取りの難しさによって調整することを特徴とする付記１に記載の超高周波ＲＦＩＤタブの読み取り方法。
【００３０】
（付記３）
前記超高周波ＲＦＩＤ走査システムが走査する前、連続走査周期の数量Ｎを予め設定し、連続走査周期の数量Ｎの値の範囲は３から２０までの自然数であることを特徴とする付記１に記載の超高周波ＲＦＩＤタブの読み取り方法。
【００３１】
（付記４）
前記アンテナ(２)がチャンネルプロセッサ（３）の中に取り付けられ、前記走査対象(４)がコンベヤ(５)に取り付けられ、前記コンベヤ(５)が前記チャンネルプロセッサ(３)を貫通し、該超高周波ＲＦＩＤタブの読み取り方法が前記超高周波ＲＦＩＤ走査システム内に埋め込まれることを特徴とする付記１に記載の超高周波ＲＦＩＤタブの読み取り方法。
【００３２】
（付記５）
前記コンベヤ(５)に検出装置が取り付けられ、前記検出装置は前記走査対象（４）内の前記ＲＦＩＤタブ数を推定し、且つ推定結果を前記超高周波ＲＦＩＤリーダー(１)にフィードバックし、前記超高周波ＲＦＩＤリーダー(１)は推定結果によって適切な連続走査周期の数量Ｎを選択することを特徴とする付記４に記載の超高周波ＲＦＩＤタブの読み取り方法。
【符号の説明】
【００３３】
１  ＲＦＩＤリーダー
２  アンテナ
３  チャンネルプロセッサ
４  走査対象
５  コンベヤ
【図１】
2021533514.tif 000003
【手続補正書】
【提出日】令和3年2月10日(2021.2.10)
【手続補正２】
【補正対象書類名】特許請求の範囲
【補正対象項目名】全文
【補正方法】変更
【補正の内容】
【特許請求の範囲】
【請求項１】
走査対象（４）内の超高周波ＲＦＩＤ走査システムは超高周波ＲＦＩＤリーダー（１）とアンテナグループを備え、
前記アンテナグループは少なくとも２つのアンテナ（２）を含み、前記アンテナ（２）が前記走査対象（４）の周辺に分布し、前記走査対象（４）の中に数量が異なるＲＦＩＤタブがあり、前記アンテナ（２）がそれぞれフィーダーを介して前記超高周波ＲＦＩＤリーダー（１）に接続され、
前記アンテナ(２)がチャンネルプロセッサ（３）の中に取り付けられ、前記走査対象(４)がコンベヤ(５)に取り付けられ、前記コンベヤ(５)が前記チャンネルプロセッサ(３)を貫通し、該超高周波ＲＦＩＤタブの読み取り方法が前記超高周波ＲＦＩＤ走査システム内に埋め込まれ、
前記走査対象（４）内の前記ＲＦＩＤタブ数の走査集合Ａを設定し、各走査周期の新規データを前記走査集合Ａ内に追加し、前記超高周波ＲＦＩＤ走査システムは、前記走査集合Ａ内に追加される新規データがなくなるまで前記走査対象（４）に対して連続的な走査を行った後、計数を始め、連続的なＮ個の走査周期に前記走査集合Ａ内に追加される前記新規データがない場合、該超高周波ＲＦＩＤ走査システムがすでに前記走査対象（４）内の前記ＲＦＩＤタブを完全に読み取ったと認められ、連続的なＮ個の走査周期内に前記走査集合Ａ内に１回でも追加される前記新規データがあれば、連続的なＮ個の走査周期に前記走査集合Ａ内に追加される前記新規データがなくなるまで改めて計数し、該超高周波ＲＦＩＤ走査システムが前記走査対象（４）内の前記ＲＦＩＤタブを完全に読み取ったと認められ、
連続走査周期の数量Ｎは前記走査対象（４）内の前記ＲＦＩＤタブ数又はタブ読み取りの難しさによって調整し、
前記コンベヤ(５)に検出装置が取り付けられ、前記検出装置は前記走査対象（４）内の前記ＲＦＩＤタブ数を推定し、且つ推定結果を前記超高周波ＲＦＩＤリーダー(１)にフィードバックし、前記超高周波ＲＦＩＤリーダー(１)は推定結果によって適切な連続走査周期の数量Ｎを選択する、
ことを特徴とする走査対象内の超高周波ＲＦＩＤタブの読み取り方法。
【請求項２】
前記超高周波ＲＦＩＤ走査システムが走査する前、連続走査周期の数量Ｎを予め設定し、連続走査周期の数量Ｎの値の範囲は３から２０までの自然数であることを特徴とする請求項１に記載の走査対象内の超高周波ＲＦＩＤタブの読み取り方法。
【国際調査報告】
2021533514.tif 000004
2021533514.tif 000005
2021533514.tif 000006
2021533514.tif 000007